(57)【要約】      （修正有）【課題】イエロー〜レッド〜マゼンタの色相範囲における色再現可能範囲が広く、色再現性が良好な、捺染用のインクセットの提供。【解決手段】少なくともイエローインク及びマゼンタインクの２種類のインクを含む捺染用インクセットであって、該イエローインクが少なくともＣ．Ｉ．Ａｃｉｄ  Ｙｅｌｌｏｗ  ７９を含有し、該マゼンタインクが少なくともＣ．Ｉ．Ａｃｉｄ  Ｒｅｄ  １３１を含有する、捺染用インクセット。前記各インクをインクジェット方式、スクリーン捺染、浸染、又は連続染色から選択される方法で、繊維に付着させ、付着させた各インクの色素を繊維に固着させ、繊維に残存する未固着な色素を洗浄して、繊維を捺染する方法。前記繊維がポリアミド繊維又はポリアミド繊維を含有する混紡繊維から選される繊維である、捺染方法。【選択図】図１
2018150491.tif 000002
【特許請求の範囲】
【請求項１】
少なくともイエローインク及びマゼンタインクの２種類のインクを含む捺染用インクセットであって、該イエローインクが少なくともＣ．Ｉ．Ａｃｉｄ  Ｙｅｌｌｏｗ  ７９を含有し、該マゼンタインクが少なくともＣ．Ｉ．Ａｃｉｄ  Ｒｅｄ  １３１を含有する、捺染用インクセット。
【請求項２】
請求項１に記載のインクセットをインクとして用い、少なくとも以下の工程Ａ〜工程Ｃの３工程を順次行うことを含む、繊維の捺染方法。
工程Ａ：各インクを、インクジェット方式、スクリーン捺染、浸染及び連続染色の方法のうちから選択される方法で繊維に付着させる工程。
工程Ｂ：工程Ａにより繊維に付着させた各インクの色素を、繊維に固着させる工程。
工程Ｃ：繊維に残存する未固着の色素を洗浄する工程。
【請求項３】
上記の繊維が、ポリアミド繊維、及びポリアミド繊維を含有する混紡繊維から選択される繊維である請求項３に記載の捺染方法。
【請求項４】
請求項２又は３に記載の捺染方法により染色された繊維。
【発明の詳細な説明】
【技術分野】
【０００１】
本発明は捺染用インクセット及びそれを用いた繊維の捺染方法に関する。
【背景技術】
【０００２】
酸性染料を用いたインクジェット捺染に用いるインクの性能としては高画質且つ高堅牢性の印捺物の提供が可能であることが要望される。
これらの中でも高画質化の要望に対し、これまでも種々のインクやインクセットが提案されてきた。しかしながら、従来のインクセットにおいて、イエロー〜レッド〜マゼンタの色再現領域を広げたインクセットはなく、十分な色域を有するインクセットの提供が、市場から強く要望されている。とりわけ、インクセットに含まれるレッドインクに用いる色素には高濃度捺染可能であることが要求され、高濃度捺染可能なレッドインク用色素として、特許文献１及び２に、Ｃ．Ｉ．Ａｃｉｄ  Ｒｅｄ  １３１が開示されており、特許文献３にはＣ．Ｉ．Ａｃｉｄ  Ｒｅｄ  １３１を含むインクセットが開示されている。
【先行技術文献】
【特許文献】
【０００３】
【特許文献１】特許６０３７９９１号公報
【特許文献２】特開２０１４−０６２１４２号公報
【特許文献３】特開２０１６−０４４２５９
【発明の概要】
【発明が解決しようとする課題】
【０００４】
本発明はイエロー〜レッド〜マゼンタの色相範囲における色再現可能範囲が広く、色再現性が良好な、捺染用のインクセットの提供を課題とする。
【課題を解決するための手段】
【０００５】
本発明者らは、少なくとも２種類のインクを含む捺染用インクセットであって、該イエローインクの１種類が色素としてＣ．Ｉ．Ａｃｉｄ  Ｙｅｌｌｏｗ  ７９を含有し、該マゼンタインクの１種類が色素としてＣ．Ｉ．Ａｃｉｄ  Ｒｅｄ  １３１を含有する捺染用インクセットにより、上記の課題を解決できた。
即ち本発明は、以下の１）〜４）に関する。
１）
少なくともイエローインク及びマゼンタインクの２種類のインクを含む捺染用インクセットであって、該イエローインクが少なくともＣ．Ｉ．Ａｃｉｄ  Ｙｅｌｌｏｗ  ７９を含有し、該マゼンタインクが少なくともＣ．Ｉ．Ａｃｉｄ  Ｒｅｄ  １３１を含有する、捺染用インクセット。
２）
１）に記載のインクセットをインクとして用い、少なくとも以下の工程Ａ〜工程Ｃの３工程を順次行うことを含む、繊維の捺染方法。
工程Ａ：各インクを、インクジェット方式、スクリーン捺染、浸染及び連続染色の方法のうちから選択される方法で繊維に付着させる工程。
工程Ｂ：工程Ａにより繊維に付着させた各インクの色素を、繊維に固着させる工程。
工程Ｃ：繊維に残存する未固着の色素を洗浄する工程。
３）
上記の繊維が、ポリアミド繊維、及びポリアミド繊維を含有する混紡繊維から選択される繊維である３）に記載の捺染方法。
４）
２）又は３）に記載の捺染方法により染色された繊維。
【発明の効果】
【０００６】
本発明のインクセット、及びこれをインクとして使用する捺染方法により、イエロー〜レッド〜マゼンタの色相範囲における色再現可能範囲が広く、色再現性が良好な、捺染用のインクセットを提供することができた。
【図面の簡単な説明】
【０００７】
【図１】図１は、シルク染布１及びシルク比較染布１に関するＣＩＥのａ＊、ｂ＊の測定結果である。
【発明を実施するための形態】
【０００８】
本明細書においては特に断りのない限り、実施例等を含めて「％」及び「部」については、いずれも質量基準で記載する。
【０００９】
上記イエローインク及びマゼンタインクの２種類のインクを含む捺染用インクセット（以下、捺染用インクセット）におけるイエローインクが、少なくともＣ．Ｉ．Ａｃｉｄ  Ｙｅｌｌｏｗ  ７９を含有し、該マゼンタインクが、少なくともＣ．Ｉ．Ａｃｉｄ  Ｒｅｄ  １３１を含有する捺染用インクセット。
【００１０】
上記捺染用インクセットにおける、少なくともＣ．Ｉ．Ａｃｉｄ  Ｙｅｌｌｏｗ  ７９を含有するイエローインクは、Ｃ．Ｉ．Ａｃｉｄ  Ｙｅｌｌｏｗ  ７９以外の色素を含有することが可能である。Ｃ．Ｉ．Ａｃｉｄ  Ｙｅｌｌｏｗ  ７９以外の色素としては例えば、Ｃ．Ｉ．Ａｃｉｄ  Ｙｅｌｌｏｗ  １、２、３、４、５、６、７、７：１、８、９、９：１、１０、１１、１１：１、１２、１３、１４、１５、１６、１７、１７：１、１８、１９、２０、２１、２２、２３、２３：１、２４、２５、２５：１、２６、２７、２８、２９、２９：１、３０、３１、３２、３３、３４、３５、３６、３７、３８、３８：１、３９、４０、４０：１、４１、４２、４２：１、４３、４４、４６、４７、４８、４９、４９：１、５０、５１、５２、５３、５４、５５、５６、５７、５９、６０、６１、６３、６４、６５、６５：１、６６、６７、６８、６９、７０、７１、７２、７３、７４、７５、７６、７７、７８、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１１０、１１１、１１２、１１３、１１４、１１４：１、１１５、１１６、１１６：１、１１７、１１８、１１９、１１９：１、１２０、１２１、１２２、１２３、１２４、１２６、１２７、１２７：１、１２８、１２８：１、１２９、１３０、１３１、１３２、１３３、１３４、１３５、１３６、１３７、１３８、１３９、１４０、１４１、１４２、１４３、１４４、１４５、１５０、１５１、１５２、１５３、１５５、１５６、１５７、１５８、１５８：１、１５９、１６０、１６１、１６２、１６３、１６４、１６５、１６６、１６７、１６８、１６９、１７１、１７２、１７３、１７４、１７５、１７６、１７７、１７７：１、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０２、２０３、２０４、２０５、２０６、２０７、２０８、２０９、２１０、２１１、２１２、２１３、２１４、２１５：１、２１６、２１７、２１８、２１９、２１９：１、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６８、２６９、２７０、２７１等が挙げられ、このイエローインクが、２種類以上の色素を含有する場合、Ｃ．Ｉ．Ａｃｉｄ  Ｙｅｌｌｏｗ  ７９と、他の色素との混合割合は、他の色素の物性等によって適宜選択可能であり、その割合の目安としては、イエローインクが含有するＣ．Ｉ．Ａｃｉｄ  Ｙｅｌｌｏｗ  ７９の総質量に対して、他の色素は通常０．０１〜５０％、好ましくは０．０１〜２５％、より好ましくは０．０１〜２０％、さらに好ましくは０．０１〜１０％、特に好ましくは０．０１〜５％の割合で混合される場合である。
【００１１】
上記捺染用インクセットにおける、少なくともＣ．Ｉ．Ａｃｉｄ  Ｒｅｄ  １３１を含有するマゼンタインクは、Ｃ．Ｉ．Ａｃｉｄ  Ｒｅｄ  １３１以外の色素を含有することが可能である。Ｃ．Ｉ．Ａｃｉｄ  Ｒｅｄ  １３１以外の色素としては例えば、Ｃ．Ｉ．Ａｃｉｄ  Ｒｅｄ  １、２、３、４、５、６、７、８、９、１０、１１、１２、１３、１４、１５、１６、１７、１８、１９、２０、２１、２２、２３、２４、２５、２５：１、２６、２６：１、２７、２８、２９、３０、３１、３２、３２：１、３３、３４、３５、３６、３７、３８、３９、４０、４１、４２、４３、４４、４６、４７、４８、４９、５０、５１、５１：１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９：１、１００、１０１、１０２、１０３、１０４、１０５、１０６、１０７、１０８、１０９、１１０、１１１、１１２、１１３、１１４、１１５、１１６、１１７、１１８、１１９、１１９：１、１２０、１２１、１２２、１２３、１２５、１２６、１２７、１２８、１２９、１３０、１３３、１３４、１３５、１３６、１３７、１３８、１３９、１４０、１４１、１４２、１４３、１４３：１、１４４、１４５、１４６、１４７、１４８、１４９、１５０、１５１、１５１：１、１５２、１５３、１５４、１５５、１５６、１５７、１５８、１５９、１６０、１６１、１６２、１６３、１６４、１６５、１６６、１６７、１６７：１、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１１：１、２１２、２１３、２１３：１、２１４、２１５、２１６、２１７、２１８、２１９、２２０、２２１、２２２、２２３、２２５、２２５：１、２２６、２２７、２２８、２２９、２３１、２３３、２３４、２３５、２３６、２３７、２３８、２３９、２４０、２４１、２４２、２４４、２４６、２４７、２５１、２５２、２５３、２５４、２５５、２５６、２５７、２５７：１、１５８、２５９、２６０、２６１、２６２、２６３、２６４、２６５、２６６、２６８、２６９、２７０、２７１、２７２、２７３、２７４、２７５、２７６、２７７、２７８、２７９、２８０、２８１、２８２、２８３、２８６、２８７、２８８、２８９、２９１、２９２、２９５、２９６、２９８、２９９、３００、３０１、３０２、３０３、３０４、３０６、３０７、３０８、３０９、３１０、３１１、３１２、３１３、３１４、３１４：１、３１５、３１５：１、３１６、３１６：１、３１７、３１８、３１９、３２１、３２２、３２３、３２４、３２５、３２６、３２８、３２９、３３０、３３１、３３２、３３３、３３４、３３５、３３６��３３７、３３８、３３９、３４０、３４１、３４２、３４３、３４４、３４５、３４６、３４７、３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８９、３９０、３９１、３９２、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４７、４４８、４４９、４５０、４５１、４５２、４５３、４５４、４５５、４５６、４５７、４５８、４５９、４６０、４６１等が挙げられ、このマゼンタインクが、２種類以上の色素を含有する場合、Ｃ．Ｉ．Ａｃｉｄ  Ｒｅｄ  １３１と、他の色素との混合割合は、他の色素の物性等によって適宜選択可能であり、その割合の目安としては、マゼンタインクが含有するＣ．Ｉ．Ａｃｉｄ  Ｒｅｄ  １３１の総質量に対して、他の色素は通常０．０１〜５０％、好ましくは０．０１〜２５％、より好ましくは０．０１〜２０％、さらに好ましくは０．０１〜１０％、特に好ましくは０．０１〜５％の割合で混合される場合である。
【００１２】
上記イエローインク及びマゼンタインクにおいては、それぞれのインクの総質量中における色素の総含有量は、いずれも通常０．５〜２０％であり、イエローインクにおいては、インクの総質量中における色素の総含有量が０．５〜１０％であり、マゼンタインクにおいては、インクの総質量中における色素の総含有量が０．５〜１０％であるものが好ましい。
【００１３】
上記捺染用インクセットに、シアンインク、ブラックインクを加えることにより、フルカラー化することが可能である。
【００１４】
上記シアンインクとしては例えば、色素として、Ｃ．Ｉ．Ｄｉｒｅｃｔ  Ｂｌｕｅ系色素又はＣ．Ｉ．Ａｃｉｄ  Ｂｌｕｅ系色素を少なくとも含むシアンインクであることが挙げられ、Ｃ．Ｉ．Ｄｉｒｅｃｔ  Ｂｌｕｅ系色素としては、例えば、Ｃ．Ｉ．Ｄｉｒｅｃｔ  Ｂｌｕｅ  １、２、３、４、５、６、７、８、８：１、９、１０、１１、１２、１３、１４、１５、１６、１７、１８、１９、２０、２１、２１：１、２２、２３、２４、２４：１、２５、２６、２７，２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１：１、７２、７３、７４、７５、７５：１、７６、７６：１、７７、７８、７９、８０、８０：１、８１、８２、８３、８４、８５、８６、８７、８８、８９、９０、９１、９２、９３、９４、９５、９６、９７、９８、９８：１、９９、１００、１０１、１０３、１０４、１０５、１０６、１０７、１０８、１０９、１１０、１１１、１１２、１１３、１１４、１１５、１１６、１１７、１１８、１１９、１２０、１２０：１、１２０：２、１２０：３、１２１、１２２、１２３、１２４、１２５、１２６、１２７、１２８、１２９、１３０：１、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５８：１、１５９、１６０、１６１、１６２、１６２：１、１６３、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８８、１８９、１９０、１９１、１９２、１９３、１９４、１９５、１９６、１９６：１、１９７、１９８、１９９、２００、２０１、２０２、２０３、２０４、２０６、２０７、２０９、２１１、２１２、２１３、２１４、２１５、２１８、２１８：１、２２１、２２２、２２４、２２５、２２６、２２８、２２９、２３０、２３１、２３２、２３３、２３４、２３６、２３７、２３８、２３９、２４２、２４４、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６９、２７０、２７１、２７２、２７３、２７４、２７５、２７６、２７７、２７８、２７８：１、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０３、３０４、３０５、３０６、３０７、３０８、３０９、３１０、３１１、３１２、３１３、３１４、３１５、３１６、３１７等が挙げられる。Ｃ．Ｉ．Ａｃｉｄ  Ｂｌｕｅ系色素としては例えば、Ｃ．Ｉ．Ａｃｉｄ  Ｂｌｕｅ  １、２、３、４、５、６、７、��、９、１０、１１、１２、１３、１４、１５、１６、１７、１８、１８：１、１９、２０、２１、２２、２２：１、２３、２４、２５、２６、２７、２８、２９、３０、３１、３２、３３、３４、３５、３６、３７、３８、３９、４０、４１、４２、４３、４４、４５、４７、４８、４９、５０、５１、５３、５４、５５、５６、５７、５８、５９、６０、６１、６１：１、６２、６２：１、６３、６４、６５、６６、６８、６９、７０、７２、７４、７５、７６、７８、７８：１、７９、８０、８１、８２、８３、８４、８５、８６、８７、８８、８９、９０、９０：１、９１、９２、９３、９３：１、９４、９５、９６、９７、９８、９９、１００、１０１、１０２、１０２：１、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２７：１、１２８、１２９、１２９：１、１３１、１３２、１３３、１３４、１３５、１３６、１３７、１３８、１３８：１、１３９、１４０、１４１、１４２、１４３、１４５、１４５：１、１４７、１４８、１５０、１５１、１５２、１５３、１５４、１５５、１５６、１５７、１５８、１５８：１、１５８：２、１５９、１６０、１６１、１６２、１６３、１６５、１６６、１６７、１６８、１６８：１、１６９、１７０、１７１、１７１：１、１７２、１７４、１７５、１７６、１７７、１７９、１８１、１８２、１８３、１８４、１８５、１８６、１８７、１８８、１９１、１９２、１９３、１９４、１９５、１９７、１９８、１９９、２００、２０１、２０２、２０３、２０４、２０５、２０６、２０７、２０８、２０９、２１０、２１２、２１３、２１５、２１６、２１９、２２０、２２１、２２４、２２５、２２６、２２７、２２８、２２９、２２９：１、２３０、２３１、２３２、２３３、２３４、２３５、２３７、２３８、２３９、２４０、２４１、２４２、２４３、２４４、２４５、２４６、２４７、２４９、２５０、２５２、２５３、２５４、２５６、２５７、２５８、２５９、２６０、２６１、２６２、２６３、２６４、２６５、２６６、２６７、２６８、２６９、２７０、２７１、２７２、２７３、２７４、２７５、２７６、２７７、２７７：１、２７８、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３３０、３３１、３３２、３３３、３３４、３３５、３３６、３３７、３３８、３３９、３４０、３４１、３４２、３４３、３４４、３４５、３４６、３４８、３４９、３５０、３５１、３５２、３５２：１、３５３、３５４、３５５、３５６、３５７、３５８、３５９、３６０、３６１、３６２、３６３等が挙げられる。これらは単独、または複数を混合して用いることが可能である。また、調色目��で他の色相を有する色素を単独又は複数添加することも可能である。
【００１５】
上記ブラックインクとしては例えば、色素として、Ｃ．Ｉ．Ａｃｉｄ  Ｂｌａｃｋ系色素を少なくとも含むブラックインクであることが挙げられ、Ｃ．Ｉ．Ａｃｉｄ  Ｂｌａｃｋ系色素としては、例えば、Ｃ．Ｉ．Ａｃｉｄ  Ｂｌａｃｋ  １、２、３、４、５、７、８、９、１０、１１、１２、１３、１４、１５、１６、１６：１、１７、１８、１９、２０、２１、２２、２３、２４、２５、２６、２６：１、２６：２、２６：３、２６：４、２７、２８、２９、３０、３１、３２、３３、３４、３５、３６、３８、３９、４０、４１、４２、４３、４４、４５、４６、４７、４８、４８：１、４９、５０、５１、５２、５２：１、５３、５４、５５、５６、５７、５８、５８：１、５９、６０、６０：１、６２、６２：１、６３、６３：１、６３：２、６４、６５、６６、６７、６８、６９、７０、７１、７３、７４、７５、７６、７７、７８、７９、８２、８３、８４、８５、８６、８７、８８、８９、９０、９１、９２、９３、９４、９５、９６、９７、９８、９９、１０１、１０４、１０５、１０６、１０７、１０８、１０９、１１０、１１２、１１３、１１４、１１５、１１８、１１９、１２０、１２１、１２２、１２４、１２６、１２７、１２８、１２９、１３０、１３１、１３１：１、１３２、１３３、１３４、１３５、１３６、１３７、１３８、１３９、１４０、１４３、１４４、１４５、１４７、１４８、１４９、１５０、１５１、１５２、１５３、１５６、１５７、１５９、１６０、１６１、１６２、１６４、１６５、１６６、１６７、１６８、１６９、１７０、１７１、１７２、１７３、１７４、１７５、１７６、１７７、１７８、１７９、１８０、１８１、１８２、１８３、１８４、１８５、１８６、１８７、１８７：１、１８９、１９０、１９１、１９２、１９２：１、１９３、１９４、１９５、１９６、１９７、１９８、１９９、２００、２０１、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８等が挙げられ、これらは単独、または複数を混合して用いることが可能である。また、調色目的で他の色相を有する色素を単独又は複数添加することも可能である。
【００１６】
上記捺染用インクセットに、上記のイエローインク、マゼンタインク、シアンインクとそれぞれ色相が異なる第２のイエローインク、レッドインク、ブルーインクを加えることにより、高精細な画像を得ることができる。
【００１７】
上記第２のイエローインクとしては、Ｃ．Ｉ．Ａｃｉｄ  Ｙｅｌｌｏｗ  ７９と色相が異なる色素を含有する。色素としては例えば、Ｃ．Ｉ．Ａｃｉｄ  Ｙｅｌｌｏｗ  １、２、３、４、５、６、７、７：１、８、９、９：１、１０、１１、１１：１、１２、１３、１４、１５、１６、１７、１７：１、１８、１９、２０、２１、２２、２３、２３：１、２４、２５、２５：１、２６、２７、２８、２９、２９：１、３０、３１、３２、３３、３４、３５、３６、３７、３８、３８：１、３９、４０、４０：１、４１、４２、４２：１、４３、４４、４６、４７、４８、４９、４９：１、５０、５１、５２、５３、５４、５５、５６、５７、５９、６０、６１、６３、６４、６５、６５：１、６６、６７、６８、６９、７０、７１、７２、７３、７４、７５、７６、７７、７８、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１１０、１１１、１１２、１１３、１１４、１１４：１、１１５、１１６、１１６：１、１１７、１１８、１１９、１１９：１、１２０、１２１、１２２、１２３、１２４、１２６、１２７、１２７：１、１２８、１２８：１、１２９、１３０、１３１、１３２、１３３、１３４、１３５、１３６、１３７、１３８、１３９、１４０、１４１、１４２、１４３、１４４、１４５、１５０、１５１、１５２、１５３、１５５、１５６、１５７、１５８、１５８：１、１５９、１６０、１６１、１６２、１６３、１６４、１６５、１６６、１６７、１６８、１６９、１７１、１７２、１７３、１７４、１７５、１７６、１７７、１７７：１、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０２、２０３、２０４、２０５、２０６、２０７、２０８、２０９、２１０、２１１、２１２、２１３、２１４、２１５：１、２１６、２１７、２１８、２１９、２１９：１、２２０、２２１、２２２、２２３、２２４、２２５、２２６、２２７、２２８、２２９、２３０、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６３、２６４、２６５、２６６、２６７、２６８、２６９、２７０、２７１等が挙げられ、これらは単独、または複数を混合して用いることが可能である。また、調色目的で他の色相を有する色素を添加することも可能である。また、上記イエローインク及び第２のイエローインクと色相が異なる第３のイエローインクをインクセットとして加えることも可能であり、その場合、イエローインク及び第２のイエローインクで用いた各色素と異なる色相を有する色素を用いることが望ましい。
【００１８】
上記レッドインクとしては、Ｃ．Ｉ．Ａｃｉｄ  Ｒｅｄ  １３１と色相が異なる色素を含有する。色素としては例えば、Ｃ．Ｉ．Ａｃｉｄ  Ｒｅｄ  １、２、３、４、５、６、７、８、９、１０、１１、１２、１３、１４、１５、１６、１７、１８、１９、２０、２１、２２、２３、２４、２５、２５：１、２６、２６：１、２７、２８、２９、３０、３１、３２、３２：１、３３、３４、３５、３６、３７、３８、３９、４０、４１、４２、４３、４４、４６、４７、４８、４９、５０、５１、５１：１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、９９：１、１００、１０１、１０２、１０３、１０４、１０５、１０６、１０７、１０８、１０９、１１０、１１１、１１２、１１３、１１４、１１５、１１６、１１７、１１８、１１９、１１９：１、１２０、１２１、１２２、１２３、１２５、１２６、１２７、１２８、１２９、１３０、１３３、１３４、１３５、１３６、１３７、１３８、１３９、１４０、１４１、１４２、１４３、１４３：１、１４４、１４５、１４６、１４７、１４８、１４９、１５０、１５１、１５１：１、１５２、１５３、１５４、１５５、１５６、１５７、１５８、１５９、１６０、１６１、１６２、１６３、１６４、１６５、１６６、１６７、１６７：１、１６８、１６９、１７０、１７１、１７２、１７３、１７４、１７５、１７６、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１１：１、２１２、２１３、２１３：１、２１４、２１５、２１６、２１７、２１８、２１９、２２０、２２１、２２２、２２３、２２５、２２５：１、２２６、２２７、２２８、２２９、２３１、２３３、２３４、２３５、２３６、２３７、２３８、２３９、２４０、２４１、２４２、２４４、２４６、２４７、２４９、２５１、２５２、２５３、２５４、２５５、２５６、２５７、２５７：１、１５８、２５９、２６０、２６１、２６２、２６３、２６４、２６５、２６６、２６８、２６９、２７０、２７１、２７２、２７３、２７４、２７５、２７６、２７７、２７８、２７９、２８０、２８１、２８２、２８３、２８６、２８７、２８８、２８９、２９１、２９２、２９５、２９６、２９８、２９９、３００、３０１、３０２、３０３、３０４、３０６、３０７、３０８、３０９、３１０、３１１、３１２、３１３、３１４、３１４：１、３１５、３１５：１、３１６、３１６：１、３１７、３１８、３１９、３２１、３２２、３２３、３２４、３２５、３２６、３２８、３２９、３３０、３３１、３３２、３３３、３３４、３３５、３３６、３３７、３３８、３３９、３４０、３４１、３４２、３４３、３４４、３４５、３４６、３４７、３４８、３４９、３５０���３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８９、３９０、３９１、３９２、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２１、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４７、４４８、４４９、４５０、４５１、４５２、４５３、４５４、４５５、４５６、４５７、４５８、４５９、４６０、４６１等が挙げられ、これらは単独、または複数を混合して用いることが可能である。また、調色目的で他の色相を有する色素を添加することも可能である。また、上記マゼンタインク及びレッドインクと色相が異なる第２のレッドインクをインクセットとして加えることも可能であり、その場合、マゼンタインク及びレッドインクで用いた各色素と異なる色相を有する色素を用いることが望ましい。
【００１９】
上記ブルーインクとしては例えば、色素として、Ｃ．Ｉ．Ａｃｉｄ  Ｂｌｕｅ系色素又はＣ．Ｉ．Ｒｅａｃｔｉｖｅ  Ｂｌｕｅ系色素を少なくとも含み、Ｃ．Ｉ．Ａｃｉｄ  Ｂｌｕｅ系色素としては例えば、Ｃ．Ｉ．Ａｃｉｄ  Ｂｌｕｅ  １、２、３、４、５、６、７、８、９、１０、１１、１２、１３、１４、１５、１６、１７、１８、１８：１、１９、２０、２１、２２、２２：１、２３、２４、２５、２６、２７、２８、２９、３０、３１、３２、３３、３４、３５、３６、３７、３８、３９、４０、４１、４２、４３、４４、４５、４７、４８、４９、５０、５１、５３、５４、５５、５６、５７、５８、５９、６０、６１、６１：１、６２、６２：１、６３、６４、６５、６６、６８、６９、７０、７２、７４、７５、７６、７８、７８：１、７９、８０、８１、８２、８３、８４、８５、８６、８７、８８、８９、９０、９０：１、９１、９２、９３、９３：１、９４、９５、９６、９７、９８、９９、１００、１０１、１０２、１０２：１、１０３、１０４、１０５、１０６、１０７、１０８、１０９、１１０、１１１、１１２、１１３、１１４、１１５、１１６、１１７、１１８、１１９、１２０、１２１、１２２、１２３、１２４、１２５、１２６、１２７、１２７：１、１２８、１２９、１２９：１、１３１、１３２、１３３、１３４、１３５、１３６、１３７、１３８、１３８：１、１３９、１４０、１４１、１４２、１４３、１４５、１４５：１、１４７、１４８、１５０、１５１、１５２、１５３、１５４、１５５、１５６、１５７、１５８、１５８：１、１５８：２、１５９、１６０、１６１、１６２、１６３、１６５、１６６、１６７、１６８、１６８：１、１６９、１７０、１７１、１７１：１、１７２、１７４、１７５、１７６、１７７、１７９、１８１、１８２、１８３、１８４、１８５、１８６、１８７、１８８、１９１、１９２、１９３、１９４、１９５、１９７、１９８、１９９、２００、２０１、２０２、２０３、２０４、２０５、２０６、２０７、２０８、２０９、２１０、２１２、２１３、２１５、２１６、２１９、２２０、２２１、２２４、２２５、２２６、２２７、２２８、２２９、２２９：１、２３０、２３１、２３２、２３３、２３４、２３５、２３７、２３８、２３９、２４０、２４１、２４２、２４３、２４４、２４５、２４６、２４７、２４９、２５０、２５２、２５３、２５４、２５６、２５７、２５８、２５９、２６０、２６１、２６２、２６３、２６４、２６５、２６６、２６７、２６８、２６９、２７０、２７１、２７２、２７３、２７４、２７５、２７６、２７７、２７７：１、２７８、２７９、２８０、２８１、２８２、２８３、２８４、２８５、２８６、２８７、２８８、２８９、２９０、２９１、２９２、２９３、２９４、２９５、２９６、２９７、２９８、２９９、３００、３０１、３０２、３０４、３０５、３０６、３０７、３０８、３０９、３１０、３１１、３１２、３１３、３１４、３１５、３１６、３１７、３１８、３１９、３２０、３２１、３２２、３２３、３２４、３２５、３２６、３２７、３２８、３３０、３３１、３３２、３３３、３３４、３３５、３３６、３３７、３３８、３３９、３４０、３４１、３４２、３４３、３４４、��４５、３４６、３４８、３４９、３５０、３５１、３５２、３５２：１、３５３、３５４、３５５、３５６、３５７、３５８、３５９、３６０、３６１、３６２、３６３等が挙げられ、Ｃ．Ｉ．Ｒｅａｃｔｉｖｅ  Ｂｌｕｅ系色素としては例えば、Ｃ．Ｉ．Ｒｅａｃｔｉｖｅ  Ｂｌｕｅ  １、２、３、４、５、６、７、８、９、１０、１１、１３、１４、１５、１５：１、１６、１７、１８、１９、１９：２、２０、２１、２２、２３、２４、２５、２６、２７、２８、２９、３０、３１、３２、３３、３４、３５、３６、３６：１、３８、３９、４０、４１、４２、４３、４４、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１０９、１１２、１１３、１１４、１１５、１１６、１１７、１１８、１１８：１、１１９、１２０、１２１、１２２、１２３、１２４、１２５、１２６、１２７、１２８、１２９、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７１：１、１７２、１７３、１７４、１７５、１７７、１７８、１７９、１８０、１８１、１８２、１８３、１８４、１８５、１８６、１８７、１８８、１８９、１９０、１９１、１９２、１９３、１９４、１９５、１９６、１９７、１９８、１９９、２００、２０１、２０２、２０３、２０４、２０５、２０６、２０７、２０８、２０９、２１０、２１１、２１２、２１３、２１４、２１５、２１６、２１７、２１８、２１９、２２０、２２１、２２２、２２３、２２４、２２５、２２６、２２７、２２８、２２９、２３０、２３１、２３３、２３４、２３５、２３６、２３７、２３８、２４２、２４３、２４４、２４６、２４７、２４８、２４９、２５０、２５１、２５２、２５３、２５４、２５５、２５６、２５７、２５８、２５９、２６０、２６１、２６２、２６３、２６４、２６５、２６７、２６８、２６９、２７０、２７１、２７２、２７３、２７４、２７５、２７６、２７７、２７８、２７９、２８０、２８１、２８２、２８３、２８４等が挙げられ、これらは単独、または複数を混合して用いることが可能である。また、調色目的で他の色相を有する色素を単独又は複数添加することも可能である。上記シアンインク及びブルーインクと色相が異なる第２のブルーインクをインクセットとして加えることも可能であり、その場合、上記シアンインク及びブルーインクで用いた各色素と異なる色相を有する色素を用いることが望ましい。
【００２０】
上記捺染用インクセットに、更にオレンジインク、ブラウンインクを加えることにより、更に高精細な画像を得ることができる。
【００２１】
上記オレンジインクとしては例えば、色素として、Ｃ．Ｉ．Ａｃｉｄ  Ｏｒａｎｇｅ系色素を少なくとも含むオレンジインクであることが挙げられ、Ｃ．Ｉ．Ａｃｉｄ  Ｏｒａｎｇｅ系色素としては例えば、Ｃ．Ｉ．Ａｃｉｄ  Ｏｒａｎｇｅ  １、１：１、２、３、４、５、６、７、８、９、１０、１０：１、１１、１２、１３、１４、１５、１６、１７、１８、１９、２０、２１、２２、２３、２４、２４：１、２５、２６、２７、２８、２８：１、２９、３０、３１、３２、３３、３４、３５、３６、３７、３８、３９、４０、４１、４２、４３、４４、４５、４６、４７、４８、４９、５０、５１、５１：１、５２、５３、５４、５５、５６、５７、５８、５９、６０、６０：１、６１、６２、６２：１、６３、６４、６５、６６、６７、６８、６９、７０、７１、７２、７４、７５、７６、７７、７８、７９、８０、８１、８２、８３、８４、８５、８６、８７、８８、８９、９０、９１、９２、９３、９４、９５、９６、９７、９８、９９、１００、１０１、１０２、１０３、１０４、１０５、１０６、１０７、１０８、１１２、１１３、１１４、１１５、１１６、１１６：１、１１７、１１８、１１９、１２０、１２１、１２２、１２４、１２６、１２７、１２８、１２９、１３０、１３１、１３２、１３３、１３４、１３５、１３６、１３７、１３８、１３９、１４０、１４１、１４２、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４、１７５、１７６、１７７、１７８、１７９、１８０、１８１、１８２、１８３、１８４等が挙げられ、これらは単独、または複数を混合して用いることが可能である。また、調色目的で他の色相を有する色素を単独又は複数添加することも可能である。
【００２２】
上記ブラウンインクとしては例えば、色素として、Ｃ．Ｉ．Ａｃｉｄ  Ｂｒｏｗｎ系色素を少なくとも含むブラウンインクであることが挙げられ、Ｃ．Ｉ．Ａｃｉｄ  Ｂｒｏｗｎ系色素としては例えば、Ｃ．Ｉ．Ａｃｉｄ  Ｂｒｏｗｎ  １、２、３、４、５、６、７、７：１、８、９、１０、１１、１２、１３、１４、１５、１６、１７、１８、１９、１９：１、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７５、７６、７７、７８、７９、８０、８３、８４、８５、８６、８７、８８、８８：１、８９、９０、９１、９２、９３、９４、９５、９６、９７、９８、９９、１００、１０１、１０２、１０３、１０４、１０５、１０６、１０７、１０７：１、１０８、１０８：１、１０９、１１０、１１０：１、１１１、１１２、１１２：１、１１３、１１３：１、１１４、１１５、１１７、１１８、１１９、１２０、１２１、１２２、１２３、１２５、１２６、１２７、１２８、１２９、１３０、１３３、１３４、１３５、１３６、１３７、１３９、１４０、１４１、１４２、１４３、１４４、１４５、１４６、１４７、１４８、１５０、１５１、１５２、１５３、１５４、１５５、１５６、１５７、１５８、１５９、１６０、１６１、１６２、１６４、１６５、１６６、１６７、１６８、１７４、１７５、１７６、１７７、１７８、１７９、１８０、１８１、１８２、１８３、１８４、１８５、１８６、１８７、１８８、１８８：１、１８９、１９０、１９１、１９３、１９４、１９５、１９６、１９７、１９８、１９９、２００、２０１、２０２、２０３、２０４、２０５、２０６、２０７、２０８、２０９、２１１、２１２、２１３、２１４、２１５、２１６、２１６：１、２１７、２１８、２１９、２２０、２２１、２２２、２２３、２２４、２２５、２２６、２２６：１、２２７、２２８、２２９、２３１、２３２、２３３、２３４、２３５、２３６、２３７、２３８、２３９、２４０、２４１、２４２、２４３、２４４、２４５、２４６、２４７、２４８、２４９、２５０、２５１、２５２、２５３、２５４、２５５、２５６、２５７、２５８、２５９、２６０、２６１、２６２、２６４、２６５、２６６、２６７、２６８、２６９、２７０、２７１、２７２、２７３、２７４、２７５、２７６、２７８、２７９、２８０、２８２、２８２：１、２８３、２８４、２８５、２８６、２８７、２８８、２８９、２９０、２９１、２９２、２９３、２９４、２９５、２９６、２９７、２９８、２９８：１、２９９、３００、３０３、３０４、３０５、３０６、３０７、３０８、３０９、３１０、３１１、３１３、３１４、３１５、３１６、３１７、３１８、３１９、３２０、３２１、３２２、３２３、３２４、３２４：１、３２５、３２６、３２７、３２８、３２９、３３０、３３１、３３２、３３２：１、３３４、３３５、３３６、３３７、３３８、３３９、３４１、３４２、３４４、３４５、３４６、３４７���３４８、３４９、３５０、３５１、３５２、３５３、３５４、３５５、３５６、３５７、３５８、３５９、３６０、３６１、３６２、３６３、３６４、３６５、３６６、３６７、３６８、３６９、３７０、３７１、３７２、３７３、３７４、３７５、３７６、３７７、３７８、３７９、３８０、３８１、３８２、３８３、３８４、３８５、３８６、３８７、３８８、３８９、３９０、３９１、３９２、３９３、３９４、３９５、３９６、３９７、３９８、３９９、４００、４０１、４０２、４０３、４０４、４０５、４０６、４０７、４０８、４０９、４１０、４１１、４１２、４１３、４１４、４１５、４１６、４１７、４１８、４１９、４２０、４２２、４２３、４２４、４２５、４２６、４２７、４２８、４２９、４３０、４３１、４３２、４３３、４３４、４３５、４３６、４３７、４３８、４３９、４４０、４４１、４４２、４４３、４４４、４４５、４４６、４４７、４４８、４４９、４５０、４５１、４５２、４５３、４５４、４５５、４５６、４５７、４５８、４５９、４６０、４６１、４６２、４６３、４６４、４６５、４６６、４６７、４６８、４６９、４７０、４７１、４７２、４７３、４７４等が挙げられ、これらは単独、または複数を混合して用いることが可能である。また、調色目的で他の色相を有する色素を単独又は複数添加することも可能である。
【００２３】
上記捺染用インクセットは、さらにバイオレットインクを備えることができる。バイオレットインクが含有する色素としては、例えば、Ｃ．Ｉ．Ａｃｉｄ  Ｖｉｏｌｅｔ系色素が挙げられ、具体的にはＣ．Ｉ．Ａｃｉｄ  Ｖｉｏｌｅｔ  １７、１９、２１、４２、４３、４７、４８、４９、５４、６６、７８、９０、９７、１０２、１０９、１２６等が挙げられる。これらは単独、または複数を混合して用いることが可能である。また、調色目的で他の色相を有する色素を単独又は複数添加することも可能である。
【００２４】
上記捺染用インクセットは、さらにグリーンインクを備えることができる。グリーンインクが含有する色素としては、例えば、Ｃ．Ｉ．Ａｃｉｄ  Ｇｒｅｅｎ系色素が挙げられ、具体的にはＣ．Ｉ．Ａｃｉｄ  Ｇｒｅｅｎ  １、５、９、１２、１６、１９、２０、２５、２７、２８、４０、４３、５６、７３、８１、８４、１０４、１０８、１０９等が挙げられる。また、グリーンインクとしては、ブルー及びイエローの２色の色素を配合してグリーンインクとすることもできる。これに加えて、その色調を望みの色に微調整する目的で、さらに他の色素を含有することもできる。配合グリーンインクとするときのブルー色素としては、上記シアンインク及びブルーインクが含有する色素として挙げた、各Ｃ．Ｉ．Ｄｉｒｅｃｔ  Ｂｌｕｅ及びＣ．Ｉ．Ａｃｉｄ  Ｂｌｕｅと同じものが挙げられる。
【００２５】
上記配合グリーンインクとするときのイエロー色素としては、上記２種類のイエローインクが含有する色素として挙げたイエロー色の色素と同じものが挙げられる。
【００２６】
上記グリーンインクの総質量中における色素の総含有量は通常０．５〜２０％、好ましくは２〜１５％、より好ましくは４〜１０％である。また、配合グリーンインクとするとき、配合グリーンインクに含有する各色素の含有量は、用いる色素の物性等によって適宜選択可能であり、その割合の目安としては、配合グリーンインクに含有する色素の総含有量に対して、ブルー／イエローの２色の色素の含有量は、通常それぞれ０．３〜１５％／０．２〜１５％、好ましくは１〜１０％／０．３〜１０％、より好ましくは３〜８％／０．５〜７％である。
【００２７】
上記捺染用インクセットのおけるブラックインクは、上記イエロー、マゼンタ、シアン、ブラック、ブルー、オレンジ、及びレッドから選択される複数の色素を含有する、配合ブラックインクとすることもできる。以下、特に断りの無い限り、「ブラックインク」と記載したときは、上記ブラックインク及び配合ブラックインクの両者を意味する。ブラックインクの色調を望みの色に微調整する目的等により、さらに他の色素を含有することもできる。
【００２８】
上記ブラックインクの総質量中における、色素の総含有量は通常０．５〜２０％、好ましくは２〜１７％、より好ましくは５〜１５％である。また、Ｃ．Ｉ．Ａｃｉｄ  Ｂｌａｃｋを含有するブラックインクが、さらに他の色素を含有するとき、そのブラックインクが含有する他の色素の含有量は、用いる色素の物性等によって適宜選択可能であり、その割合の目安としては、該ブラックインクが含有するＣ．Ｉ．Ａｃｉｄ  Ｂｌａｃｋの総含有量に対して、他の色素の総含有量は、通常それぞれ０．５〜３５％、好ましくは２〜２５％、より好ましくは５〜２０％である。
【００２９】
上記捺染用インクセットのおける各インクが含有する色素の総含有量は、特に断りの無い限り、各インク組成物の総質量に対して通常通常０．５〜１５％、好ましくは１〜１０％、より好ましくは２〜１０％である。また、上記の各インクは、いずれも水を含有する水性インクである。
【００３０】
上記の各インクは、それぞれのインクと同じ色相、且つ、各インクが含有する色素の総含有量よりも少ないインクと、さらに併用することもできる。そのようなインクは、一般に「ライトインク」等と呼称される。このライトインクは、通常よりもさらに高精細な印捺物を得る目的等により使用される。ライトインクを併用したインクセットとするとき、各ライトインクが含有する色素は、上記の各インクと同じ色素とすることも、異なる色素とすることもできる。各ライトインクが含有する色素としては、上記の各インクが含有する色素として挙げた色素と、同じ色素が挙げられる。ライトインクが含有する色素の総含有量は、ライトインクの総質量に対して、通常０．０２５〜５％、好ましくは０．０５〜２．５％、より好ましくは０．０５〜２％である。但し、ライトインクを併用するときは、ライトインクが含有する色素の総含有量は、同じ色相の上記の各インクが含有する色素の総含有量よりも、必ず少ない総含有量とする。
【００３１】
上記各インクにおける色素は、それらを含有する各インクの保存安定性及びインクジェットプリンタからの吐出精度等を良好にするため、公知の方法により精製することができる。  また、上記各インクはいずれも水性インクであるため、インクの調製に使用する水についてもイオン交換水、及び蒸留水等の、金属イオン等の不純物が少ない水を使用するのが好ましい。
【００３２】
上記各インクは、少なくとも色素と水とを含有するインクである。これら以外に、水溶性有機溶剤、及び各種のインク調製剤、例えば界面活性剤、ｐＨ調整剤、防腐防黴剤、染料溶解剤等を、必要に応じて含有することができる。インク調製剤は合計で、インクの総質量に対して通常０〜１０％、好ましくは０．０５〜５％程度である。
【００３３】
上記各インクが含有する水溶性有機溶剤としては、アルコール類、ピロリドン類等が挙げられる。水溶性有機溶剤は、各インクが含有するのが好ましく、その含有量は、インクの総質量に対して通常０〜５０％、好ましくは１〜５０％、より好ましくは５〜４０％である。アルコール類としては、グリセリン、１，３−ブタンジオール、１，３−ペンタンジオール、１，５−ペンタンジオール、１，２−ヘキサンジオール、１，６−ヘキサンジオール等のヒドロキシ基を２つ〜３つ有するＣ２−Ｃ６アルコール；ジグリセリン、ポリグリセリン等のポリグリセリルエーテル；ポリオキシエチレンポリグリセリルエーテル、ポリオキシプロピレンポリグリセリルエーテル等のポリオキシＣ２−Ｃ３アルキレンポリグリセリルエーテル；エチレングリコール、ジエチレングリコール、トリエチレングリコール、プロピレングリコール、ポリエチレングリコール等の、モノ、ジ又はトリＣ２−Ｃ３アルキレングリコール；ポリエチレングリコール、ポリプロピレングリコール等の、繰り返し単位が４以上で、分子量が約２０，０００以下程度のポリＣ２−Ｃ３アルキレングリコール（好ましくは液状のもの）；エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル（ブチルカルビトール）、トリエチレングリコールモノメチルエーテル、トリエチレングリコールモノエチルエーテル等の、多価アルコールのＣ１−Ｃ４モノアルキルエーテル、３−メトキシ−３−メチルブタノール等のグリコールモノエーテル；等が挙げられる。ピロリドン類としては、２−ピロリドン、Ｎ−メチル−２−ピロリドン等のピロリドン類；等が挙げられる。これらの中ではグリセリン、ジグリセリン、エチレングリコール、プロピレングリコール、ブチルカルビトール、１，３−ブタンジオール、１，６−ヘキサンジオール及び２−ピロリドンが好ましい。水溶性有機溶剤は、単独で使用することも併用することもできる。
【００３４】
界面活性剤としては、アニオン、カチオン、両性、及びノニオンの各界面活性剤が挙げられる。これらの中ではカチオン界面活性剤が好ましい。アニオン界面活性剤としてはアルキルスルホカルボン酸塩、α−オレフィンスルホン酸塩、ポリオキシエチレンアルキルエーテル酢酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。カチオン界面活性剤としては２−ビニルピリジン誘導体、ポリ４−ビニルピリジン誘導体等が挙げられる。両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレンアルコール系；他の具体例として、例えば、日信化学社製の商品名サーフィノール１０４、１０５ＰＧ５０、ＤＦ１１０Ｄ、８２、４２０、４４０、４６５、４８５、オルフィンＳＴＧ；等が挙げられる。これらの中ではサーフィノールが好ましく、サーフィノール１０４ＰＧ５０、ＤＦ１１０Ｄ、４２０、４４０、４６５がより好ましい。
【００３５】
ｐＨ調整剤としては、インクのｐＨを６．０〜１１．０の範囲に制御できるものであれば任意の物質を使用することができる。例えば、ジエタノールアミン、ジメチルエタノールアミン、ジエチルエタノールアミントリエタノールアミン等のアルカノールアミン；水酸化リチウム、水酸化ナトリウム、水酸化カリウム等のアルカリ金属の水酸化物；水酸化アンモニウム（アンモニア水）；又は、炭酸リチウム、炭酸ナトリウム、炭酸カリウムなどのアルカリ金属の炭酸塩；トリス（ヒドロキシメチル）アミノメタン；等が挙げられる。これらの中ではトリエタノールアミンが好ましい。インクの総質量中におけるｐＨ調整剤の含有量は通常０．０１〜２％、好ましくは０．０５〜１％である。
【００３６】
防腐防黴剤としては、例えば、デヒドロ酢酸ナトリウム、安息香酸ナトリウム、ソジウムピリジンチオン−１−オキサイド、ジンクピリジンチオン−１−オキサイド、１，２−ベンズイソチアゾリン−３−オン、１−ベンズイソチアゾリン−３−オンのアミン塩、アベシア社製プロクセルＧＸＬ等、好ましくはプロクセルＧＸＬ、プロクセルＸＬ２；等が挙げられる。
【００３７】
染料溶解剤としては、例えば尿素、ε−カプロラクタム、エチレンカーボネート等が挙げられる。
【００３８】
上記各インクは、色素、水、水溶性有機溶剤、及び必要に応じて上記のインク調製剤を混合することによって調製される。各成分は、各インクに対してそれぞれ独立に選択することができる。色素以外の成分については、各インク共に同じものを選択するのが好ましい。しかし、各インク中における各成分の含有量は、含有する色素の物性等に応じて個別に調整するのが好ましい。
【００３９】
上記各インクは、上記の成分を混合して溶液とし、必要に応じてメンブランフィルター等で得られた溶液を濾過することにより得られる。インクジェット捺染用インクとしては、メンブランフィルター等で溶液を濾過する方が好ましい。メンブランフィルターの孔径は通常０．１μｍ〜１μｍ、好ましくは０．１μｍ〜０．５μｍである。
【００４０】
上記各インクの２５℃における粘度は、Ｅ型粘度計にて測定したときに３〜２０ｍＰａ・ｓ；プレート法にて測定したときに２０〜４０ｍＮ／ｍ；の各範囲内であるのが好ましい。インクの粘度は上記の範囲で、プリンタの吐出量；応答速度；インク液滴の飛行特性；及び、インクジェットヘッドの特性；等を考慮し、適切な値に調整することができる。
【００４１】
上記捺染方法は、上記のインクセットをインクとして用い、少なくとも以下の工程Ａ〜工程Ｃの３工程を順次行うことを含む、繊維の捺染方法である。
［工程Ａ］
各インクを、インクジェット方式、スクリーン捺染、浸染及び連続染色の方法のうちから選択される方法で繊維に付着させる工程。
［工程Ｂ］
工程Ａにより繊維に付着させた各インクの色素を、繊維に固着させる工程。
［工程Ｃ］
繊維に残存する未固着の色素を洗浄する工程。
【００４２】
また、上記工程Ａ〜Ｃの３工程に加えて、色素のにじみ防止等を目的とし、繊維に対して前処理を施す工程を、上記工程Ａの前にさらに含むことができる。ポリアミド繊維の捺染を行う場合、前処理工程を含む方が好ましい。
【００４３】
上記インクジェット捺染方法に用いる繊維としては、ポリアミド繊維、及びポリアミド繊維を含有する混紡繊維から選択される繊維が好ましい。ポリアミド繊維としては、例えばシルク、ウール等の天然繊維；ナイロン等の合成ポリアミド繊維；等が挙げられる。混紡繊維としては、これらのポリアミド繊維を少なくとも含有し、他の繊維と混紡したものが挙げられる。上記繊維としては繊維の構造体も含まれ、上記の繊維から成る布帛等が好ましく挙げられる。
【００４４】
上記工程Ａに使用できるインクジェットプリンタとしては、例えば、機械的振動を利用したピエゾ方式；加熱により生ずる泡を利用したバブルジェット（登録商標）方式；等を利用したものが挙げられる。
【００４５】
上記工程Ｂとしては、インクが付着した繊維を室温〜１３０℃に０．５〜３０分程度放置して予備乾燥させた後、スチーミング処理を施して湿熱条件下に該繊維に色素を固着させる方法等が挙げられる。スチーミング処理としては、湿度８０〜１００％、温度９５〜１０５℃の環境に、５〜３０分置くことが好ましい。
【００４６】
上記工程Ｃとしては、色素を固着させた後の繊維を、水で洗浄することが好ましい。この洗浄に際して、界面活性剤を含有する水で洗浄しても良い。上記工程Ｃを行った後、洗浄した繊維を通常４０〜１２０℃で、５〜３０分乾燥し、乾燥された染色物を得ることができる。
【００４７】
上記工程Ｃで使用できる界面活性剤としては、上記インク調製剤の項で述べたものと同じで良い。
【００４８】
必要に応じ、染色物に対し後処理として、耐光堅牢度、湿潤堅牢度または塩素堅牢度を向上させる目的で、ポリアミン系、ポリカチオン系フィックス剤、タンニン又は合成タンニン系フィックス剤、紫外線吸収剤、酸化防止剤等を用いて処理を行うこともできる。
【００４９】
上記後処理に用いる紫外線吸収剤としては、例えば、ベンゾフェノン系化合物、ベンゾトリアゾール系化合物、桂皮酸系化合物、トリアジン系化合物、スチルベン系化合物が挙げられる。また、ベンズオキサゾール系化合物に代表される紫外線を吸収して蛍光を発する化合物、いわゆる蛍光増白剤等も使用できる。
【００５０】
上記後処理に用いる酸化防止剤としては、例えば、Ｌ−アスコルビン酸（別名、ビタミンＣ）、エリソルビン酸、α−トコフェロール（別名、ビタミンＥ）などが挙げられる。
【００５１】
上記工程Ａの前に行う繊維の前処理工程としては、１種類以上の糊材、及び前処理用のｐＨ調整剤の両者を少なくとも含有する水溶液を繊維の処理液とし、予め工程Ａを行う前の繊維に付与する工程が挙げられる。該繊維の処理液中には、さらにヒドロトロピー剤を含むのが好ましい。繊維の処理液中に含有する糊剤、前処理用のｐＨ調整剤、及びヒドロトロピー剤等は、「前処理剤」等と呼称されることもある。繊維の処理液を繊維に付与する方法としては、例えばパディング法が挙げられる。パディングの絞り率は４０〜９０％程度が好ましく、より好ましくは６０〜８０％程度である。
【００５２】
上記繊維の処理液に含有する糊剤としては、グアー、ローカストビーン等の天然ガム類；澱粉類；アルギン酸ソーダ、ふのり等の海藻類；ペクチン酸等の植物皮類；メチル繊維素、エチル繊維素、ヒドロキシエチルセルロース、カルボキシメチルセルロース等の繊維素誘導体；カルボキシメチル澱粉等の加工澱粉；シラツガム系、ローストビーンガム系等の加工天然ガム類；ポリビニルアルコール、ポリアクリル酸エステル等の合成糊；等が挙げられる。これらの中ではグアー、ローカストビーン等の天然ガム類；シラツガム系、ローストビーンガム系等の加工天然ガム類；等が好ましい。
【００５３】
上記繊維の処理液に含有する前処理用のｐＨ調整剤としては、水溶液とした際に酸性を示すものが好ましい。具体的には硫酸アンモニウム、酒石酸アンモニウム、及び酢酸アンモニウム等の性のアンモニウム塩が挙げられる。これらの中では、硫酸アンモニウムが好ましい。
【００５４】
上記繊維の処理液に含有するヒドロトロピー剤としては、尿素、ジメチル尿素、チオ尿素、モノメチルチオ尿素、ジメチルチオ尿素等が挙げられ、尿素であることが好ましい。上記前処理剤は、それぞれの１種類を単独で用いることも、それぞれの２種類以上を併用することもでき、後者が好ましい。
【００５５】
上記繊維の処理液に含有する前処理剤の含有量は、例えば混紡繊維を用いるとき、混紡繊維の混紡比率等により一概に決めることは難しいが、その目安として、繊維の処理液の総質量に対して、いずれも質量基準で糊剤が０．５〜５％、前処理用のｐＨ調整剤が０．５〜５％、残部が水であることが挙げられる。ヒドロトロピー剤をさらに含有するときは、同様に１〜２０％であり、残部が水であることが挙げられる。また、繊維の処理液は酸性であることが好ましい。そのｐＨの範囲としては通常７以下、好ましくは５〜７である。
【００５６】
本発明のインクセットで捺染した繊維は、耐光性、水堅牢度、洗濯堅牢度等の堅牢性試験、印捺濃度、彩度、色調、色再現域の広さ等の各種の性能においても優れる。また、本発明のインクセットは、高粘度インクを必要とする工業用インクジェットヘッドが搭載されたプリンタでの、周波数値に係らない吐出性能を発揮することも可能である。さらに、インクジェット捺染後に一定時間プリンタを放置し、再度吐出（捺染）を開始したときの吐出性も良好である。
【実施例】
【００５７】
以下実施例により本発明をさらに詳細に説明するが、これらの実施例により、本発明が限定されるものではない。
また、液の温度は内温を測定し、反応や塩析等の操作は特に断りのない限り、いずれも攪拌下で行った。
【００５８】
[捺染用インクの調整]
下記表に示した各成分を混合し、おおよそ１時間攪拌することにより、マゼンタ１、イエロー１、マゼンタ２の３種類のインクを調製した。得られた各インクセット溶液を構成するインクは、０．４５μｍのメンブランフィルター（商品名：セルロースアセテート系濾紙、アドバンテック社製）で濾過することにより、試験用のインクジェット捺染用インクを調製とした。また、インク溶液の調製に用いた「水」はイオン交換水であり、総量１００部となるように水を加えて調整した。下記表１中の略号は、以下の意味を表す。
ＡＲ１３１：Ｃ．Ｉ．Ａｃｉｄ  Ｒｅｄ  １３１。
ＡＹ７９：Ｃ．Ｉ．Ａｃｉｄ  Ｙｅｌｌｏｗ  ７９。
ＡＲ１４３：Ｃ．Ｉ．Ａｃｉｄ  Ｒｅｄ  １４３。
【００５９】
【表１】
2018150491.tif 000003
【００６０】
［捺染用インクセット］
マゼンタ１とイエロー１のインクセットを実施例１のインクセットとした。
マゼンタ２とイエロー１のインクセットを比較例１のインクセットとした。
これらのインクセットに関する評価試験を実施した。
【００６１】
［試験染布の作製］
グアー２部、硫酸アンモニウム２部、尿素５部、及び水９１部を含む繊維の処理液を調製し、パッド法によりシルク布に前処理工程を行った。すなわち、シルク布を繊維の処理液に浸漬し、ゴムローラーにて余分な液を絞り落とした後、６０℃にて乾燥した。上記のようにして得たシルク布に対して、実施例１のインクセットを使用して、インクジェットプリンタＰＭ−Ａ７５０（セイコーエプソン社製）にてイエロー、マゼンタ及び混色のベタ柄を印刷した。この印捺物を６０〜８０℃で予備乾燥後、湿度９０％以上、１００〜１０３℃で２０分間スチーミング処理を行った。得られた印捺物を冷水で５分間洗浄した後、乾燥することにより試験染布を得た。この際、実施例１のインクセットに相当する「染色用のり」の組合せを用いて作製した試験染布を「シルク染布１」とした。  
一方、比較例１のインクセットの組合せを用いる以外は実施例１と同様にして、比較用の試験染布を得た。この比較用の試験染布を「シルク比較染布１」とした。
【００６２】
［色域の評価試験］
上記のようにして得た各試験染布を、測色機を用いてＣＩＥのＬ＊、ａ＊、ｂ＊値を測定した。測色機はＧＲＥＴＡＧ−ＭＡＣＢＥＴＨ社製、商品名：ＳｐｅｃｔｒｏＥｙｅを用いた。
試験結果を、図１に示す。
【００６３】
図１の結果から明らかなように、シルク染布１は、シルク比較染布１と比較して、特に、ｂ＊が０〜４０の範囲において、ａ＊が大きな値を示しており、色再現可能範囲が大幅に拡大していることが確認できた。
【産業上の利用可能性】
【００６４】
本発明のインクジェット捺染用インクセットは、特にイエロー〜レッド〜マゼンタの色相範囲における色再現可能範囲が広く、色再現性が良好な、インクジェット捺染用のインクセットの提供が可能であり、インクジェット捺染用インクセットとして極めて有用である。
【図１】
2018150491.tif 000004